(57)【要約】【課題】表示領域より長さ又は幅が大きい画像において互いに距離の離れた位置を同時に確認することができる携帯電子機器、表示制御方法及び制御プログラムを提供すること。【解決手段】携帯電話装置１は、表示領域に画像を表示する表示部１１と、前記表示部に重畳する検出部１２と、表示領域に、当該表示領域より長さと幅との少なくともいずれか一方が大きい所定の画像が表示されている場合に、表示領域の少なくとも２点において、検出部１２が接触を検出している状態から所定の操作を検出すると、表示領域を複数の表示領域に分割し、当該複数の表示領域それぞれに所定の画像を表示する制御部１８と、を備える。【選択図】図２
2012173819.tif 000002
【特許請求の範囲】
【請求項１】
表示領域に画像を表示する表示部と、
前記表示部に重畳するタッチセンサと、
前記表示領域に、前記表示領域より長さと幅との少なくともいずれか一方が大きい所定の画像が表示されている場合に、前記表示領域の少なくとも２点において、前記タッチセンサが接触を検出している状態から所定の操作を検出すると、前記表示領域を複数の表示領域に分割し、当該複数の表示領域それぞれに前記所定の画像を表示する制御部と、
を備える携帯電子機器。
【請求項２】
前記制御部は、前記所定の操作として、前記２点の接触が互いに遠ざかる方向への移動を検出すると、前記表示領域を分割する、
請求項１に記載の携帯電子機器。
【請求項３】
前記表示部は、前記表示領域に前記所定の画像に対応したスクロールバーを表示し、
前記制御部は、前記スクロールバーに対応する位置において前記所定の操作を検出すると、前記表示領域を前記複数の表示領域に分割する、
請求項１又は２に記載の携帯電子機器。
【請求項４】
前記制御部は、前記表示領域の分割に対応させて前記スクロールバーも分割する、
請求項３に記載の携帯電子機器。
【請求項５】
前記制御部は、前記分割された表示領域のうちのいずれかの表示領域に対応するスクロールバーに対する操作を検出すると、前記スクロールバーに対応する表示領域において表示されている前記所定の画像の表示位置を前記操作に対応させて変更させる、
請求項４に記載の携帯電子機器。
【請求項６】
前記制御部は、前記スクロールバーに対する第２の操作を検出すると、当該スクロールバーに対応する表示領域に加えて他の表示領域に対応する前記所定の画像の表示位置を変更させる、
請求項５に記載の携帯電子機器。
【請求項７】
前記制御部は、前記表示領域の分割される表示領域間の境界を前記２点の中間に設定する、
請求項１から６のいずれか一項に記載の携帯電子機器。
【請求項８】
前記制御部は、前記タッチセンサによって前記境界に対して接触された状態において接触位置の移動が検出されると、当該移動に応じて前記境界を移動させる、
請求項７に記載の携帯電子機器。
【請求項９】
前記制御部は、前記分割された複数の表示領域それぞれに対応するスクロールバーが互いに前記表示領域上で重なったことを検出すると、当該互いのスクロールバーに対応する表示領域を統合する、
請求項４から８のいずれか一項に記載の携帯電子機器。
【請求項１０】
記憶部を更に備え、
前記制御部は、前記複数の表示領域に表示されたそれぞれの前記所定の画像を合わせた画像を一画像として前記記憶部に記憶させる、
請求項１から９のいずれか一項に記載の携帯電子機器。
【請求項１１】
前記制御部は、前記一画像に前記複数の表示領域に表示されたそれぞれの前記所定の画像の表示態様を対応付けて記憶させる、
請求項１０に記載の携帯電子機器。
【請求項１２】
前記制御部は、前記表示態様として、前記所定の画像の縮尺と前記所定の画像の表示位置のうちの少なくともいずれか一方を前記一画像に対応付けて前記記憶部に記憶させる、
請求項１１に記載の携帯電子機器。
【請求項１３】
前記制御部は、前記記憶部に記憶されている前記一画像を前記表示部に表示させる際に、前記表示態様に基づいて前記複数の表示領域に前記所定の画像を表示させた状態を再現する、
請求項１１又は１２に記載の携帯電子機器。
【請求項１４】
表示領域に画像を表示する表示部と、前記表示部に重畳するタッチセンサとを備える携帯電子機器が、画像の表示制御を行う表示制御方法であって、
前記表示領域に、前記表示領域より長さと幅との少なくともいずれか一方が大きい所定の画像が表示されている場合に、前記表示領域の少なくとも２点において、前記タッチセンサが接触を検出している状態から所定の操作を検出すると、前記表示領域を複数の表示領域に分割し、当該複数の表示領域それぞれに前記所定の画像を表示するステップを含む表示制御方法。
【請求項１５】
表示領域に画像を表示する表示部と、前記表示部に重畳するタッチセンサとを備える携帯電子機器に実行させるための制御プログラムであって、
前記表示領域に、前記表示領域より長さと幅との少なくともいずれか一方が大きい所定の画像が表示されている場合に、前記表示領域の少なくとも２点において、前記タッチセンサが接触を検出している状態から所定の操作を検出すると、前記表示領域を複数の表示領域に分割し、当該複数の表示領域それぞれに前記所定の画像を表示する処理を前記携帯電子機器に実行させる制御プログラム。
【発明の詳細な説明】
【技術分野】
【０００１】
本発明は、画像の表示制御を行う携帯電子機器、表示制御方法及び制御プログラムに関する。
【背景技術】
【０００２】
近年、カメラを備えた携帯電話等の携帯電子機器が広く普及しつつある。このような携帯電子機器では、広角カメラや広角モードを備えているものがある（例えば、特許文献１参照）。
【先行技術文献】
【特許文献】
【０００３】
【特許文献１】特開２００３−０５１８７２号公報
【発明の概要】
【発明が解決しようとする課題】
【０００４】
ところで、広角カメラや広角モード等で撮像した画像が、携帯電子機器に設けられている表示部のアスペクト比と異なる場合、当該表示部に撮像した画像が、表示部の表示領域より長さ又は幅が大きい画像となるため、当該画像を表示部に表示しきれないことがある。そこで、撮像した画像に対して、アスペクト比を携帯電子機器の表示部に合わせるトリミング等の調整を行って、調整後の画像を表示部に表示させたり、撮像した画像の一部を表示部に表示させるとともにスクロールバーを表示させて、スクロールバーの操作によって撮像した画像の表示位置を変更したりすることが行われている。
【０００５】
しかしながら、調整後の画像を表示部に表示させる方法は、調整時にトリミング等によって、撮像した画像の端部が切り落とされることがあるため、端部に写っていた画像を確認することができない場合がある。
【０００６】
一方、表示領域より長さ又は幅が大きい撮像画像の一部を表示部に表示させるとともにスクロールバーを表示させる方法では、当該撮像画像の一部のみが表示部に表示されることになるので、当該撮像画像における両端等の距離の離れた位置を同時に確認することができない。
【０００７】
本発明は、表示領域より長さ又は幅が大きい画像において互いに距離の離れた位置を同時に確認することができる携帯電子機器、表示制御方法及び制御プログラムを提供することを目的とする。
【課題を解決するための手段】
【０００８】
本発明に係る携帯電子機器は、表示領域に画像を表示する表示部と、前記表示部に重畳するタッチセンサと、前記表示領域に、前記表示領域より長さと幅との少なくともいずれか一方が大きい所定の画像が表示されている場合に、前記表示領域の少なくとも２点において、前記タッチセンサが接触を検出している状態から所定の操作を検出すると、前記表示領域を複数の表示領域に分割し、当該複数の表示領域それぞれに前記所定の画像を表示する制御部と、を備える。
【０００９】
また、上記携帯電子機器では、前記制御部は、前記所定の操作として、前記２点の接触が互いに遠ざかる方向への移動を検出すると、前記表示領域を分割することが好ましい。
【００１０】
また、上記携帯電子機器では、前記表示部は、前記表示領域に前記所定の画像に対応したスクロールバーを表示し、前記制御部は、前記スクロールバーに対応する位置に対する前記所定の操作を検出すると、前記表示領域を前記複数の表示領域に分割することが好ましい。
【００１１】
また、上記携帯電子機器では、前記制御部は、前記表示領域の分割に対応させて前記スクロールバーも分割することが好ましい。
【００１２】
また、上記携帯電子機器では、前記制御部は、前記分割された表示領域のうちのいずれかの表示領域に対応するスクロールバーに対する操作を検出すると、前記スクロールバーに対応する表示領域において表示されている前記所定の画像の表示位置を前記操作に対応させて変更させることが好ましい。
【００１３】
また、上記携帯電子機器では、前記制御部は、前記スクロールバーに対する第２の操作を検出すると、当該スクロールバーに対応する表示領域に加えて他の表示領域に対応する前記所定の画像の表示位置を変更させることが好ましい。
【００１４】
また、上記携帯電子機器では、前記制御部は、前記表示領域の分割される表示領域間の境界を前記２点の中間に設定することが好ましい。
【００１５】
また、上記携帯電子機器では、前記制御部は、前記タッチセンサによって前記境界に対して接触された状態において接触位置の移動が検出されると、当該移動に応じて前記境界を移動させることが好ましい。
【００１６】
また、上記携帯電子機器は、前記制御部は、前記分割された複数の表示領域それぞれに対応するスクロールバーが互いに前記表示領域上で重なったことを検出すると、当該互いのスクロールバーに対応する表示領域を統合することが好ましい。
【００１７】
また、上記携帯電子機器は、記憶部を更に備え、前記制御部は、前記複数の表示領域に表示されたそれぞれの前記所定の画像を合わせた画像を一画像として前記記憶部に記憶させることが好ましい。
【００１８】
また、上記携帯電子機器は、前記制御部は、前記一画像に前記複数の表示領域に表示されたそれぞれの前記所定の画像の表示態様を対応付けて記憶させることが好ましい。
【００１９】
また、上記携帯電子機器は、前記制御部は、前記表示態様として、前記所定の画像の縮尺と前記所定の画像の表示位置のうちの少なくともいずれか一方を前記一画像に対応付けて前記記憶部に記憶させることが好ましい。
【００２０】
また、上記携帯電子機器は、前記制御部は、前記記憶部に記憶されている前記一画像を前記表示部に表示させる際に、前記表示態様に基づいて前記複数の表示領域に前記所定の画像を表示させた状態を再現することが好ましい。
【００２１】
本発明に係る表示制御方法は、表示領域に画像を表示する表示部と、前記表示部に重畳するタッチセンサとを備える携帯電子機器が、画像の表示制御を行う表示制御方法であって、前記表示領域に、前記表示領域より長さと幅との少なくともいずれか一方が大きい所定の画像が表示されている場合に、前記表示領域の少なくとも２点において、前記タッチセンサが接触を検出している状態から所定の操作を検出すると、前記表示領域を複数の表示領域に分割し、当該複数の表示領域それぞれに前記所定の画像を表示するステップを含む。
【００２２】
本発明に係る制御プログラムは、表示領域に画像を表示する表示部と、前記表示部に重畳するタッチセンサとを備える携帯電子機器に実行させるための制御プログラムであって、前記表示領域に、前記表示領域より長さと幅との少なくともいずれか一方が大きい所定の画像が表示されている場合に、前記表示領域の少なくとも２点において、前記タッチセンサが接触を検出している状態から所定の操作を検出すると、前記表示領域を複数の表示領域に分割し、当該複数の表示領域それぞれに前記所定の画像を表示する処理を前記携帯電子機器に実行させる。
【発明の効果】
【００２３】
本発明によれば、表示領域より長さ又は幅が大きい画像において互いに距離の離れた位置を同時に確認することができる。
【図面の簡単な説明】
【００２４】
【図１】本実施形態に係る携帯電話機の外観斜視図である。
【図２】本実施形態に係る携帯電話機の機能を示すブロック図である。
【図３】本実施形態に係る表示部の表示領域より長さ又は幅が大きい所定画像の一例を示す図である。
【図４】本実施形態に係る表示部の表示領域に、所定画像の一部が表示させた場合の一例を示す図である。
【図５】本実施形態に係る表示部の表示領域を分割する操作の一例を示す図である。
【図６】本実施形態に係る表示部の表示領域が分割される場合の一例を示す図である。
【図７】本実施形態に係る表示部の表示領域が分割される場合の別の一例を示す図である。
【図８】本実施形態に係る表示部の表示領域が統合される場合の一例を示す図である。
【図９】本実施形態に係る第１の画像の一例を示す図である。
【図１０】本実施形態に係る携帯電話装置の画像の表示制御に係る処理の流れを示すフローチャートである。
【図１１】図１０に続くフローチャートである。
【図１２】図１１に続くフローチャートである。
【発明を実施するための形態】
【００２５】
以下、本発明の実施の形態について説明する。なお、本実施形態では、携帯電子機器の一例として、携帯電話装置について説明する。また、本発明は携帯電子機器に限られるものではなく、携帯電子機器が各種機能を実行する方法、携帯電子機器に各種機能を実行させるためのプログラム、及びこのプログラムを記憶した記憶媒体にも適用可能である。また、本発明の携帯電子機器は、これに限られず、例えば、ＰＤＡ（Ｐｅｒｓｏｎａｌ  Ｄｉｇｉｔａｌ  Ａｓｓｉｓｔａｎｔ）や、通信機能を備えたパーソナルコンピュータ、更に、これらに接続される通信モジュール等、様々な携帯電子機器に適用可能である。
【００２６】
まず、本実施形態に係る携帯電話装置１の基本構造について、図１を参照しながら説明する。図１は、本実施形態に係る携帯電話装置１の外観斜視図である。
【００２７】
携帯電話装置１は、筺体２を備える。筺体２には、正面部に、タッチパネル１０と、マイク１３と、スピーカ１４とが配置され、背面部（不図示）に、カメラ１５が配置される。
【００２８】
タッチパネル１０は、表示部１１と、検出部１２とを備える（図２参照）。表示部１１は、液晶表示パネル又は有機ＥＬ（エレクトロルミネッセンス）表示パネル等である。検出部１２は、表示部１１に重畳する領域に設けられており、携帯電話装置１のユーザの指やタッチペン等の物体の接触を検出するタッチセンサである。検出部１２には、例えば、静電容量方式や抵抗膜方式等のセンサが利用可能である。
マイク１３は、携帯電話装置１のユーザが通話時に発した音声を入力するために用いられる。
スピーカ１４は、携帯電話装置１のユーザの通話相手が発した音声を出力するために用いられる。
【００２９】
続いて、図２を参照しながら、携帯電話装置１の機能構成について説明する。図２は、携帯電話装置１の機能構成を示すブロック図である。
【００３０】
携帯電話装置１は、上述した、タッチパネル１０（表示部１１及び検出部１２）と、マイク１３と、スピーカ１４と、カメラ１５とを備える。また、携帯電話装置１は、通信部１６と、記憶部１７と、制御部１８とを備える。
【００３１】
カメラ１５は、後述の制御部１８の制御により、表示部１１のアスペクト比と等しい画像の撮像を行う通常モードと、表示部１１のアスペクト比に比べて、幅方向が長い画像の撮像を行う広角撮影モードとのいずれかによって撮像を行う。
【００３２】
通信部１６は、メインアンテナ（図示省略）とＲＦ回路部（図示省略）とを備える。通信部１６は、所定の使用周波数帯で外部装置と通信を行う。具体的には、通信部１６は、上記のメインアンテナによって受信した信号を復調処理し、処理後の信号を制御部１８に供給する。また、通信部１６は、制御部１８から供給された信号を変調処理し、上記のメインアンテナを介して外部装置（基地局）に送信する。
【００３３】
記憶部１７は、例えば、ワーキングメモリを含み、制御部１８による演算処理に利用される。また、記憶部１７は、携帯電話装置１の内部で動作するアプリケーションを１又は複数記憶する。また、記憶部１７は、カメラ１５により撮像された画像や通信部１６を介して外部装置から受信した画像等を記憶する。この画像には、カメラ１５により広角撮影モードで撮像され、表示部１１の表示領域より長さ又は幅が大きい所定画像や、所定画像の一部を示す第１の画像が含まれている。また、記憶部１７は、所定画像の表示態様を示す情報等を記憶する。例えば、その情報等には、所定画像のアスペクト比等が含まれる。なお、記憶部１７は、着脱可能な外部メモリを兼ねていてもよい。
【００３４】
制御部１８は、中央演算装置（ＣＰＵ）等により構成されており、携帯電話装置１の全体を制御する。制御部１８は、表示部１１、カメラ１５及び通信部１６等に対して制御を行う。また、制御部１８は、表示部１１の表示領域より長さ又は幅が大きい所定画像の一部が表示部１１に表示されている場合に、表示されている画像の複数の位置を同時に確認することができるように、表示部１１に対する画像の表示を制御する機能を有する。以下に、制御部１８が上記機能を発揮するための構成と動作について説明する。なお、図３に示す画像を、表示部１１の表示領域より長さ又は幅が大きい所定画像として、制御部１８の説明を進めるものとする。
【００３５】
制御部１８は、検出部１２を介して所定画像の表示操作が行われると、図４に示すように、表示部１１の表示領域Ａに、所定画像の一部を表示させるとともに、所定画像の表示位置を変更するためのスクロールバーＢを表示させる。
【００３６】
続いて、制御部１８は、表示部１１の表示領域Ａに所定画像の一部が表示されている場合に、表示領域の少なくとも２点において検出部１２が接触を検出している状態から所定の操作としての第１の操作を検出すると、表示部１１の表示領域Ａを複数の表示領域に分割し、複数の表示領域それぞれに所定画像の一部を表示させる。ここで、制御部１８は、検出部１２により接触された点が表示領域Ａにおける２点である場合、複数の表示領域間の境界を、当該２点の中間に設定する。すなわち、制御部１８は、２点の中間点を通り、表示領域Ａの幅方向に垂直である線を複数の表示領域の境界線とする。
【００３７】
ここで、第１の操作について、図５を参照して説明する。図５は、第１操作、すなわち、表示部１１の表示領域Ａを分割する操作の一例を示す図である。
第１の操作とは、図５（ａ）に示すように、タッチパネル１０（表示部１１）に２つの指等の物体を接触させ、その後、図５（ｂ）に示すように、接触させた状態で２つの指等の物体が互いに遠ざかる（離れる）方向に移動させる操作（以下、この操作をピンチ操作という）をいう。すなわち、制御部１８は、表示部１１の表示領域Ａに、所定画像の一部が表示されている場合に、検出部１２によりピンチ操作が検出されると、表示部１１の表示領域を複数の表示領域に分割し、複数の表示領域それぞれに所定画像の一部を表示させる。なお、制御部１８は、検出部１２により、スクロールバーに対応する位置にてピンチ操作が検出された場合のみ、表示部１１の表示領域を複数の表示領域に分割するようにしてもよい。
【００３８】
図６は、表示部１１の表示領域Ａが分割された場合の一例を示す図である。図６に示すように、表示部１１の表示領域Ａが制御部１８により複数の表示領域Ａ１、Ａ２に分割され、複数の表示領域Ａ１、Ａ２それぞれに所定画像の一部を表示されていることが確認できる。
【００３９】
また、制御部１８は、図６（ａ）に示すように、分割された表示領域それぞれに対応させてスクロールバーＢを分割し、スクロールバーＢ１、Ｂ２を表示部１１に表示させ、検出部１２によりスクロールバーＢ１、Ｂ２のいずれかの操作を受け付けたことに応じて、当該スクロールバーＢ１、Ｂ２に対応する表示領域に表示されている所定画像の表示させる位置を変更させる。
【００４０】
また、制御部１８は、検出部１２により複数の表示領域の境界に対して接触された状態において接触位置の移動が検出されると、当該移動に応じて、境界を移動させる。例えば、制御部１８は、図６（ａ）に示すように、表示領域Ａ１、Ａ２の境界に対する接触が検出されている場合に、接触位置が左に移動したことを検出すると、図６（ｂ）に示す用に境界を移動させる。
【００４１】
なお、制御部１８は、図７に示すように、分割された表示領域それぞれに対応するように、スクロールバーＢを表示部１１に表示させ、このスクロールバーＢに、分割された表示領域それぞれに対応する２つのスクロールボタンＢ１１、Ｂ１２を表示させるようにしてもよい。
【００４２】
ここで、制御部１８は、分割された表示領域Ａ１、Ａ２それぞれと、当該表示領域Ａ１、Ａ２に対応するそれぞれのスクロールバーＢ１、Ｂ２との表示を互いに対応させるようにしてもよい。すなわち、表示領域Ａ１の枠の表示態様と、スクロールバーＢ１の表示態様とを第１の表示態様にするとともに、表示領域Ａ２の枠の表示態様と、スクロールバーＢ２の表示態様とを、第１の表示態様と異なる第２の表示態様としてもよい。例えば、図６に示すように、表示領域Ａ１の枠の太さと、スクロールバーＢ１のボタンの枠の太さとを第１の太さにし、表示領域Ａ２の枠の太さと、スクロールバーＢ２の太さとを、第１の太さと異なる第２の太さとしてもよい。また、他の例として、図示は省略するが、表示領域Ａ１の枠の色と、スクロールバーＢ１の色とを第１の同系色にし、表示領域Ａ２の枠の色と、スクロールバーＢ２の色とを、第１同系色と異なる第２の同系色としてもよい。
【００４３】
続いて、制御部１８は、表示部１１に表示されているスクロールバーＢ１、Ｂ２に対する検出部１２を介した操作によって、分割された複数の表示領域Ａ１、Ａ２それぞれに表示されている所定画像について、表示位置の変更の操作を受け付ける。また、制御部１８は、検出部１２を介した操作によって、縮小や拡大の操作を受け付ける。
【００４４】
また、制御部１８は、検出部１２により、例えば、２つのスクロールバーを同時に操作するロック操作（第２の操作）が検出されると、複数の表示領域Ａ１、Ａ２それぞれに対応するスクロールバーＢ１、Ｂ２のいずれかの操作を受け付けた場合に、複数の表示領域Ａ１、Ａ２に表示されている両方の所定画像の表示させる位置を変更させる制御を行う。
【００４５】
すなわち、制御部１８は、検出部１２により、第２の操作が検出された場合に、ロック処理を行い、スクロールバーＢ１、Ｂ２が、それぞれ独立して動かないように制御する。そして、制御部１８は、複数の表示領域Ａ１、Ａ２にそれぞれに対応するスクロールバーのいずれかの操作を受け付けたことに応じて、複数の表示領域Ａ１、Ａ２それぞれに表示されている所定画像の表示させる位置を変更させる。
【００４６】
例えば、検出部１２を介してスクロールバーＢ１を左に移動する操作が行われると、制御部１８は、スクロールバーＢ１の移動に対応して表示領域Ａ１の表示位置を左に移動する。また、制御部１８は、スクロールバーＢ２についても左に移動する制御を行い、スクロールバーＢ２の移動に対応して表示領域Ａ２の表示位置を左に移動する。なお、検出部１２により、例えば、ロック処理が行われた後に、再び２つのスクロールバーを同時に操作するロック解除操作（第３の操作）が検出されると、制御部１８は、ロック処理を解除する。なお、ロック操作及びロック解除操作は、スクロールバーＢ１、Ｂ２に対する操作であることとしたが、これに限らず、表示領域に表示されている所定画像に対して指等を接触させる操作でもよい。
【００４７】
また、制御部１８は、表示部１１に表示されているスクロールバーＢ１、Ｂ２に対する検出部１２を介した操作によって、複数の表示領域Ａ１、Ａ２それぞれに表示されている所定画像の位置を調整した結果、図８（ａ）に示すように、複数の表示領域Ａ１、Ａ２それぞれに表示されている所定画像の表示されている位置が略同一となった場合に、複数の表示領域Ａ１、Ａ２を統合して、図８（ｂ）に示すように表示領域Ａとする。
【００４８】
なお、本実施形態では、複数の表示領域Ａ１、Ａ２それぞれに表示されている所定画像の表示されている位置が略同一となった場合に、複数の表示領域Ａ１、Ａ２を統合することとしたが、これに限らない。例えば、制御部１８は、複数の表示領域Ａ１、Ａ２それぞれに表示されている所定画像の位置を調整した結果、表示領域Ａ１に部分的に表示されている所定画像と、表示領域Ａ２に部分的に表示されている所定画像と部分的に一致する場合に、複数の表示領域Ａ１、Ａ２を統合することとしてもよい。また、制御部１８は、検出部１２を介して、スクロールバーＢ１、Ｂ２のいずれか一方を２回連続してタッチ（ダブルタップ）する操作が検出された場合に、複数の表示領域Ａ１、Ａ２を統合することとしてもよい。
【００４９】
また、図７に示すように、一のスクロールバーＢに、分割された表示領域それぞれに対応する２つのスクロールボタンＢ１１、Ｂ１２を表示させる場合には、２つのスクロールボタンＢ１１、Ｂ１２が接触した場合に、複数の表示領域Ａ１、Ａ２を統合することとしてもよい。
【００５０】
続いて、制御部１８は、検出部１２を介して画像を保存する操作が行われると、複数の表示領域Ａ１、Ａ２それぞれに表示されている所定画像を統合させた第１の画像として記憶部１７に記憶させる。具体的には、制御部１８は、所定画像の表示態様を第１の画像に関連付けて記憶部１７に記憶させる。すなわち、制御部１８は、所定画像が、表示領域Ａ１、Ａ２それぞれに表示されている表示態様となる処理手順を第１の画像に関連付けて記憶させる。
ここで、表示態様は、具体的には、アスペクト比等で表される所定画像の縮尺又は座標等によって表される所定画像の表示位置である。すなわち、制御部１８は、表示態様として、所定画像の縮尺と所定画像の表示位置のうちの少なくともいずれか一方を第１の画像に対応付けて記憶部１７に記憶させる。
【００５１】
図９は、第１の画像の一例を示す図である。図９に示されるように、第１の画像１００は、表示領域Ａ１、Ａ２それぞれに分割されている一の画像であることが確認できる。
【００５２】
つまり、制御部１８は、表示部１１の複数の表示領域Ａ１、Ａ２それぞれに表示されている所定画像の表示態様を一の画像データとし、当該一の画像データを第１の画像として記憶してもよい。また、制御部１８は、所定画像に対する縮尺や表示位置に係る処理手順を所定画像のビューとし、当該所定画像のビューを第１の画像として記憶してもよい。
【００５３】
また、制御部１８は、検出部１２を介して記憶部１７に記憶されている第１の画像の表示操作を受け付けた場合、表示部１１の表示領域を複数に分割し、当該第１の画像を分割された複数の表示領域に表示される所定画像として再現する。
【００５４】
続いて、携帯電話装置１の所定画像の表示制御に係る処理の流れについて説明する。図１０は、本実施形態に係る携帯電話装置１の画像の表示制御に係る処理の流れを示すフローチャートである。なお、本フローチャートでは、表示領域が最大で２つに分割されるものとして説明を行う。
【００５５】
ステップＳ１において、制御部１８は、検出部１２により所定画像の表示操作が行われると、表示部１１の表示領域に、所定画像の一部を表示させるとともに、所定画像の表示位置を変更するためのスクロールバーを表示させる。また、制御部１８は、検出部１２を介して記憶部１７に記憶されている第１の画像の表示操作を受け付けた場合、表示部１１の表示領域を複数に分割し、当該第１の画像を分割された複数の表示領域に表示された状態の所定画像として復元する。
【００５６】
ステップＳ２において、制御部１８は、検出部１２によりピンチ操作（第１の操作）を受け付けたか否かを判定する。制御部１８は、この判定がＹＥＳの場合、ステップＳ３に処理を移し、この判定がＮＯの場合、ステップＳ５に処理を移す。
ステップＳ３において、制御部１８は、表示部１１に表示されている表示領域が１つか否かを判定する。制御部１８は、この判定がＹＥＳの場合、ステップＳ４に処理を移し、この判定がＮＯの場合、ステップＳ５に処理を移す。なお、この判定がＮＯの場合に、制御部１８は、表示領域に表示されている所定画像に対して、拡大処理や縮小処理を行うようにしてもよい。
ステップＳ４において、制御部１８は、表示部１１の表示領域を２つの表示領域に分割し、２つの表示領域それぞれに所定画像の一部を表示させるとともに、２つの表示領域それぞれに対応する２つのスクロールバーを表示させる。
【００５７】
ステップＳ５において、制御部１８は、検出部１２によりロック操作（第２の操作）を受け付けたか否かを判定する。制御部１８は、この判定がＹＥＳの場合、ステップＳ６に処理を移し、この判定がＮＯの場合、ステップＳ９に処理を移す。
ステップＳ６において、制御部１８は、表示部１１に表示されている表示領域が２つか否かを判定する。制御部１８は、この判定がＹＥＳの場合、ステップＳ７に処理を移し、この判定がＮＯの場合、ステップＳ９に処理を移す。
【００５８】
ステップＳ７において、制御部１８は、２つのスクロールバーがロックされているか否かを判定する。制御部１８は、この判定がＹＥＳの場合、ステップＳ９に処理を移し、この判定がＮＯの場合、ステップＳ８に処理を移す。
ステップＳ８において、制御部１８は、表示部１１に表示されている２つのスクロールバーをロックする。すなわち、制御部１８は、２つのスクロールバーのいずれか一方の操作を受け付けた場合であっても、他方のスクロールバーを自動的に操作するように制御する。
【００５９】
ステップＳ９において、制御部１８は、検出部１２によりロック解除操作（第３の操作）を受け付けたか否かを判定する。例えば、ロック解除操作とは、検出部１２による複数回の接触の検出を含む。制御部１８は、この判定がＹＥＳの場合、ステップＳ１０に処理を移し、この判定がＮＯの場合、図１１のステップＳ１３に処理を移す。
ステップＳ１０において、制御部１８は、表示部１１に表示されている表示領域が２つか否かを判定する。制御部１８は、この判定がＹＥＳの場合、ステップＳ１１に処理を移し、この判定がＮＯの場合、図１１のステップＳ１３に処理を移す。
【００６０】
ステップＳ１１において、制御部１８は、２つのスクロールバーがロックされているか否かを判定する。制御部１８は、この判定がＹＥＳの場合、ステップＳ１２に処理を移し、この判定がＮＯの場合、図１１のステップＳ１３に処理を移す。
ステップＳ１２において、制御部１８は、２つのスクロールバーのロックを解除する。制御部１８は、この処理が終了すると、図１１のステップＳ１３に処理を移す。
【００６１】
図１１に移り、ステップＳ１３において、制御部１８は、検出部１２によりスクロールバーの操作を受け付けたか否かを判定する。制御部１８は、この処理がＹＥＳの場合、ステップＳ１４に処理を移し、この判定がＮＯの場合、図１２のステップＳ２１に処理を移す。
【００６２】
ステップＳ１４において、制御部１８は、表示部１１に表示されている表示領域が１つか否かを判定する。制御部１８は、この判定がＹＥＳの場合、ステップＳ１５に処理を移し、この判定がＮＯの場合、ステップＳ１６に処理を移す。
ステップＳ１５において、制御部１８は、スクロールバーの操作に応じて、表示領域の表示位置を移動する。制御部１８は、この処理が終了すると、図１２のステップＳ２１に処理を移す。
【００６３】
ステップＳ１６において、制御部１８は、スクロールバーがロックされているか否かを判定する。制御部１８は、この判定がＹＥＳの場合、ステップＳ１７に処理を移し、この判定がＮＯの場合、ステップＳ１８に処理を移す。
【００６４】
ステップＳ１７において、スクロールバーがロックされていることから、制御部１８は、スクロールバーの操作に応じて、２つの表示領域それぞれに表示されている所定画像の表示位置を移動する。制御部１８は、この処理が終了すると、ステップＳ１９に処理を移す。
ステップＳ１８において、スクロールバーがロックされていないことから、制御部１８は、対応する表示領域に表示されている所定画像の表示位置を移動する。
【００６５】
ステップＳ１９において、制御部１８は、２つの表示領域の表示位置が略同一か否かを判定する。制御部１８は、この判定がＹＥＳの場合、ステップＳ２０に処理を移し、この判定がＮＯの場合、図１２のステップＳ２１に処理を移す。
ステップＳ２０において、制御部１８は、２つの表示領域を統合して１つの表示領域とし、当該１つの表示領域に所定の画像を表示させる。制御部１８は、この処理が終了すると、図１２のステップＳ２１に処理を移す。
【００６６】
図１２に移り、ステップＳ２１において、制御部１８は、検出部１２により表示領域に表示されている所定画像の拡大操作又は縮小操作を受け付けたか否かを判定する。制御部１８は、この判定がＹＥＳの場合、ステップＳ２２に処理を移し、この判定がＮＯの場合、ステップＳ２３に処理を移す。
ステップＳ２２において、制御部１８は、検出部１２により受け付けられた位置に対応する表示領域の表示画像を拡大又は縮小する。
【００６７】
ステップＳ２３において、制御部１８は、検出部１２により保存操作を受け付けたか否かを判定する。制御部１８は、この判定がＹＥＳの場合、ステップＳ２４に処理を移し、この判定がＮＯの場合、ステップＳ２５に処理を移す。
ステップＳ２４において、制御部１８は、表示部１１に表示されている表示領域が２つか否かを判定する。制御部１８は、この判定がＹＥＳの場合、ステップＳ２５に処理を移し、この判定がＮＯの場合、ステップＳ２６に処理を移す。
【００６８】
ステップＳ２５において、制御部１８は、表示部１１の複数の表示領域それぞれに表示されている所定画像を統合させた第１の画像として記憶部１７に記憶させる。制御部１８は、この処理が終了すると、ステップＳ２７に処理を移す。
ステップＳ２６において、制御部１８は、制御部１８は、表示部１１の表示領域に表示されている状態の表示態様を第１の画像（通常画像）として記憶部１７に記憶させる。
【００６９】
ステップＳ２７において、制御部１８は、検出部１２により終了操作を受け付けたか否かを判定する。制御部１８は、この判定がＹＥＳの場合、処理を終了し、この判定がＮＯの場合、図１０のステップＳ２に処理を移す。
【００７０】
以上、本実施形態によれば、携帯電話装置１は、制御部１８により、表示部１１の表示領域に、表示領域より長さと幅との少なくともいずれか一方が大きい所定画像の一部が表示されている場合に、検出部１２により、表示領域の少なくとも２点において接触を検出している状態から所定の操作を検出すると、表示部１１の表示領域を２つに分割し、複数の表示領域それぞれに所定の画像を表示する。このようにすることで、ユーザは、複数の表示領域において所定画像を確認することにより、表示領域より長さ又は幅が大きい画像において互いに距離の離れた位置を同時に確認することができる。
【００７１】
また、携帯電話装置１は、表示領域の少なくとも２点において接触された状態で２つの指等の物体が互いに遠ざかる方向への移動を検出すると、表示領域を分割する。また、携帯電話装置１は、スクロールバーに対応する位置において前記所定の操作を検出すると、表示領域を複数の表示領域に分割する。よって、ユーザにとって、分かり易い操作で表示領域を分割することができる。
【００７２】
また、携帯電話装置１は、表示領域の分割に対応させて前記スクロールバーも分割する。このようにすることで、分割された表示領域それぞれに分割されたスクロールバーが対応するので、ユーザに対して、表示領域とスクロールバーとの関係を把握させることができる。よって、携帯電話装置１は、操作性を向上させることができる。
【００７３】
また、携帯電話装置１は、制御部１８により、分割された表示領域それぞれに対応するスクロールバーを表示部１１に表示させ、検出部１２により当該スクロールバーのいずれかの操作を受け付けたことに応じて、当該スクロールバーに対応する表示領域に表示されている所定画像の表示させる位置を変更させる。よって、携帯電話装置１は、分割された表示領域それぞれのスクロールバーに対応する操作を受け付けることにより、簡易的に所定画像の表示させる位置を変更させることができる。
【００７４】
また、携帯電話装置１は、制御部１８により、分割された表示領域にそれぞれ表示されている所定画像の一部が表示されている場合に、検出部１２により第２の操作を受け付けると、分割された表示領域にそれぞれに対応するスクロールバーのいずれかの操作を受け付けた際に、分割された表示領域それぞれに表示されている所定画像の表示させる位置を変更させる制御を行う。このように、携帯電話装置１は、第２の操作を受け付けた後に、スクロールバーのいずれかの操作を受け付けると、１のスクロールバーの操作に対して、複数の表示領域に表示されている所定画像の表示させる位置を同時に変更することができる。
【００７５】
また、携帯電話装置１は、制御部１８により、表示領域の分割される表示領域間の境界を接触されている２点の中間に設定するので、接触位置に対応して表示領域を分割することができる。
【００７６】
また、携帯電話装置１は、制御部１８により、表示領域の境界に対して接触及び当該接触状態での移動を検出すると、当該移動に応じて境界を移動させるので、それぞれの表示領域の大きさをユーザの操作に応じて変更することができる。
【００７７】
また、携帯電話装置１は、制御部１８により、分割された表示領域それぞれに表示されている所定画像の表示されている位置が略同一となった場合に、当該分割された表示領域を統合する。このようにすることで、携帯電話装置１は、所定画像の表示位置を操作することによって、分割された表示領域を簡易的に統合することができる。
【００７８】
また、携帯電話装置１は、表示部１１の表示領域に、表示領域より長さ又は幅が大きい所定画像の一部が表示されている場合に、検出部１２により第１の操作が行われると、制御部１８により、表示部１１の表示領域を複数の表示領域に分割する。続いて、制御部１８は、分割された複数の表示領域それぞれに表示されている所定画像を第１の画像として記憶部１７に記憶させる。
【００７９】
このようにすることで、携帯電話装置１は、分割された複数の表示領域それぞれに表示されている所定画像を第１の画像として記憶することができる。
【００８０】
また、携帯電話装置１は、制御部１８により、分割された表示領域にそれぞれ表示されている所定画像における表示態様を第１の画像として記憶させる。すなわち、携帯電話装置１は、分割された表示領域に表示されている表示態様をビューとして記憶させることができるので、新たな画像を生成することなく表示部１１に表示されている表示態様を記憶部１７に記憶させることができる。
【００８１】
また、携帯電話装置１は、制御部１８により、表示態様として、所定画像の縮尺又は表示領域に対応する所定画像の位置の少なくともいずれかを記憶部１７に記憶させるので、記憶した所定画像の縮尺又は表示領域に対応する所定画像の位置に基づいて、表示部１１に表示されている表示態様を復元することができる。
【００８２】
また、携帯電話装置１は、制御部１８により、記憶部１７に記憶されている第１の画像の表示指示を受け付けた場合、第１の画像を、分割された複数の表示領域に表示される所定画像として再現する。よって、携帯電話装置１のユーザは、復元された所定画像に対して更なる編集を行うことができる。
【００８３】
また、携帯電話装置１は、表示部１１に重畳する領域にタッチセンサとしての検出部１２により操作を受け付ける。このようにすることで、ユーザは、ボタン等による操作に比べて、直感的な操作によって所定画像の表示操作を行うことができる。
【００８４】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００８５】
本発明の実施形態では、１の表示領域が２つの表示領域に分割される例を挙げて説明を行ったが、これに限らない。例えば、２つの表示領域のいずれか一方においてピンチ操作を受け付けることにより、当該操作に対応する表示領域を更に分割するようにしてもよい。すなわち、表示部１１に複数の表示領域が表示されている場合においてピンチ操作を受け付けたときに、更に表示領域を分割するようにしてもよい。
【符号の説明】
【００８６】
１  携帯電話装置
１０  タッチパネル
１１  表示部
１２  検出部
１７  記憶部
１８  制御部
１００  第１の画像
【図１】
2012173819.tif 000003
【図２】
2012173819.tif 000004
【図３】
2012173819.tif 000005
【図４】
2012173819.tif 000006
【図５】
2012173819.tif 000007
【図６】
2012173819.tif 000008
【図７】
2012173819.tif 000009
【図８】
2012173819.tif 000010
【図９】
2012173819.tif 000011
【図１０】
2012173819.tif 000012
【図１１】
2012173819.tif 000013
【図１２】
2012173819.tif 000014